【誤訳訂正書】
【提出日】平成17年2月8日(2005.2.8)
【誤訳訂正１】
【訂正対象書類名】明細書
【訂正対象項目名】全文
【訂正方法】変更
【訂正の内容】
【書類名】        明細書
【発明の名称】    所定領域内における車両位置の検出方法及び装置
【特許請求の範囲】
【請求項１】  所定領域（100）、特に格納施設内における車両（F1-F4）の位置を検出する方法であって、
第１のセンサ装置（10）によって前記車両（F1-F4）の動きに関係するところの増加する動きベクトルの大きさ及び角度を検出し、
前記車両（F1-F4）が対応するポイント（O1-O4）を通過するときにはいつも前記所定領域（100）内の所定ポイント（O1-O4）における前記車両（F1-F4）の個々の参照位置を自動的に決定し、そして、
現在の参照位置の位置ベクトルに関して検出された増加する動きベクトルのベクトル和によって、前記所定領域（100）における前記車両（F1-F4）の現在位置を検出する各工程を有し、
所定ポイント（O1-O4）における前記車両（F1-F4）の個々の参照位置の前記自動的な決定は、前記所定領域（100）内の前記対応するポイント（O1-O4）において、それぞれの参照マーク（MS）と非接触な方法で相互に作用するところの第２のセンサ装置（L1, L2; MS）によって実行され、
前記個々の参照マーク（MS）は、前記第２のセンサ装置（L1，L2，30）が少なくとも２つの信号（ST1，ST2）によって同時にスキャンする反射及び非反射領域（R，R2；D）を有し、前記参照マーク（MS）の参照位置に関係する前記車両の参照位置の座標（x，y）が、これらの信号（ST1，ST2）の反射強度の時間プロファイルを評価することによって測定され、
前記個々の参照マーク（MS）は、非反射領域（D）を介在させた第１の反射領域（R1）と第２の反射領域（R2）とを備え、前記車両の前記参照位置が、前記２つの信号（ST1，ST2）のそれぞれの前記第１及び第２の反射領域（R1，R2）及び非反射領域（D）からの反射強度が測定される時間に基づいて計算される
ことを特徴とする所定領域内における車両位置の検出方法。
【請求項２】  前記信号（ST1，ST2）のキャリヤは、光ビーム、望ましくはレーザビーム、または磁気誘導力線である
ことを特徴とする請求項１記載の所定領域内における車両位置の検出方法。
【請求項３】  前記個々の参照マーク（MS）は、長方形の対角線に沿って、２つの反射領域（R1，R2）と、１つの非反射領域（D）とを有するところの、長方形の片を有し、その下方において前記車両（F1-F4）が動く
ことを特徴とする請求項１または請求項２記載の所定領域内における車両位置の検出方法。
【請求項４】  前記第１及び／または第２のセンサ装置（10；L1，L2，30）は前記車両（F1-F4）に設けられている
ことを特徴とする請求項１、請求項２、または請求項３記載の所定領域内における車両位置の検出方法。
【請求項５】  前記車両（F1-F4）の個々の参照位置の自動決定は、前記検出された現在位置と実際の位置との間の統計的な食い違いが所定の限界値を超えないように頻繁に実行される
ことを特徴とする請求項１から請求項４のいずれか１項に記載の所定領域内における車両位置の検出方法。
【請求項６】  所定領域、特に格納施設内における車両の位置を検出する装置であって、
前記車両（F1-F4）の動きに関係するところの増加する動きベクトルの大きさと角度とを検出する第１のセンサ装置（10）と、
前記車両（F1-F4）が対応するポイント（O1-O4）を通過するときにはいつも、前記所定領域（100）内の所定ポイント（O1-O4）における前記車両（F1-F4）の個々の参照位置を自動的に決定する決定装置（L1，L2；MS）と、そして、
現在の参照位置の位置ベクトルに関して検出された増加する動きベクトルのベクトル和によって、前記所定領域（100）における前記車両（F1-F4）の現在位置を検出する検出装置（20）とを備え、
前記決定装置（L1，L2；MS）は、所定領域（100）内の前記対応するポイント（O1-O4）において、それぞれの参照マーク（MS）と非接触な方法で相互に作用する第２のセンサ装置（L1，L2；MS）を有し、
前記個々の参照マーク（MS）は、反射及び非反射領域（R，R2；D）を有し、
前記第２のセンサ装置（L1，L2；MS）は、前記個々の参照マーク（MS）を、２つの信号（ST1，ST2）によって同時にスキャンするように設計されており、この場合において、前記参照マーク（MS）の参照位置に関係する前記車両の参照位置の座標（x，y）が、これらの信号（ST1，ST2）の反射強度の時間プロファイルを評価することによって測定可能であって、
前記個々の参照マーク（MS）は、非反射領域（D）を介在させた第１の反射領域（R1）と第２の反射領域（R2）とを備え、前記車両の前記参照位置が、前記２つの信号（ST1，ST2）のそれぞれの前記第１及び第２の反射領域（R1，R2）及び非反射領域（D）からの反射強度が測定される時間に基づいて計算される
ことを特徴とする所定領域内における車両位置の検出装置。
【請求項７】  前記信号（ST1，ST2）のキャリヤは、光ビーム、望ましくはレーザビーム、または磁気誘導力線である
ことを特徴とする請求項６記載の所定領域内における車両位置の検出装置。
【請求項８】  前記個々の参照マーク（MS）は、長方形の対角線に沿って、２つの反射領域（R1，R2）と、１つの非反射領域（D）とを有するところの、長方形の片を有し、その下方において前記車両（F1-F4）が動く
ことを特徴とする請求項６または請求項７記載の所定領域内における車両位置の検出装置。
【請求項９】  前記第１のセンサ装置（10）は、前記車両（F1-F4）に設けられている
ことを特徴とする請求項６から請求項８のいずれか１項に記載の所定領域内における車両位置の検出装置。
【請求項１０】  前記決定装置（L1，L2；MS）は、前記車両（F1-F4）の個々の参照位置の前記自動決定が、前記検出された現在位置と実際の位置との間の統計的な食い違いが所定の限界値より大きくならないように頻繁に実行されるように設計されている
ことを特徴とする請求項６から請求項９のいずれか１項に記載の所定領域内における車両位置の検出装置。
【請求項１１】  請求項１から請求項５のいずれか１項に記載の方法を利用する格納管理方法であって、
格納及び／または再配置及び／または商品の移動手順を実行するための格納施設及び多量の格納車両を準備し、
前記格納及び／または再配置及び／または撤去手順のための、少なくとも以下のパラメータ、格納位置、格納及び／または再配置及び／または移動の時間、商品のタイプ、格納継続時間、を格納する
ことを特徴とする格納管理方法。
【請求項１２】  請求項６から請求項１０のいずれか１項に記載の装置を利用する格納管理システムであって、
格納及び／または再配置及び／または商品の移動手順を実行するための格納施設及び多量の格納車両と、
前記格納及び／または再配置及び／または移動手順のための、少なくとも以下のパラメータ、格納位置、格納及び／または再配置及び／または移動の時間、商品のタイプ、格納継続時間、を格納するメモリ装置と、
を備えることを特徴とする格納管理システム。
【請求項１３】 前記２つの信号（ST1，ST2）の反射強度の時間プロファイルを評価することによって、前記車両（F1-F4）が前記参照マーク（MS）上を通過するときのスルームーブメント角度（α）をさらに測定することを特徴とする請求項１から請求項５のいずれか１項に記載の所定領域内における車両位置の検出方法。
【請求項１４】 前記２つの信号（ST1，ST2）の反射強度の時間プロファイルを評価することによって、前記車両（F1-F4）が前記参照マーク（MS）上を通過するときのスルームーブメント角度（α）をさらに測定することを特徴とする請求項６から請求項１０のいずれか１項に記載の所定領域内における車両位置の検出装置。
【発明の詳細な説明】
【０００１】
＜従来技術＞
本発明は、所定領域、特に格納施設内における車両位置の検出方法及び装置、並びに格納管理方法及びシステムに関する。
【０００２】
DE 4429016 A1は、運転者無し車両のナビゲーションのための装置及び方法を開示する。この件において、車両の挙動によって増加する運動の大きさ及び角度は、統合ナビゲーション装置によって検出される。更に、車両のそれぞれの参照位置は、その車両が適切なポイントを通過するときはいつも、所定領域内の所定のポイントに、ＣＣＤカメラによって自動的に決定される。更に、係る所定領域における車両の現在位置は、現在の参照位置に関係する位置ベクトルを形成すべく、評価ユニットによって検出されたところの、増加する動きベクトルのベクトル和によって検出される。それに記載されている位置及び方位の認識は、非常に高価なＣＣＤカメラと天井ランプの形状内の高コントラスト照明手段とによって不利である。そのランプの失敗は、位置の損失を見いだす。
【０００３】
DE 3490712 C2は、車両を運転するための動きドライブ装置、車両のルートを制御するステアリング装置、増加ベースで車両進路の位置を計算する統合ナビゲーション装置、車両の所望ルートを保存する装置、その所望ルートに沿って車両を運行すべくその車両の運転を制御する装置及びステアリング装置、並びに、１つ以上の決定された位置の参照目的地の位置を記憶する装置を有する車両制御及び管理システムを開示する。
【０００４】
DE 3538908 A1は、ロボット車両と産業トラックとの所定ルート上における、統合ナビゲーション方法に基づく位置測定及び衝突保護のためのオン・ボード位置検出システムを開示する。現在の幅と長さは、当該システム中の少なくとも１個の距離センサを使用して、付加された回路によって継続して測定されている。これらのセンサ値は、車両をルートの中心に沿って安全に誘導するための制御信号が生成されるように処理される。
【０００５】
DE 4039887 A1は、更に公知の車両管理及び目的地のルーティング・システムを開示する。それは、どんな所望の車両と領域にも適用することができるが、本発明、及びそれに基づく問題は、格納施設内における２台のフォークリフト・トラックに関して、格納管理システムの構成要素として説明されるであろう。
【０００６】
格納管理システムは、格納庫内における商品の動きを、監視し、制御し、記録し、並びに分析する。フォークリフト・トラック等の移送車両は、通常、商品を動かすのに使用される。そのようなシステムの品質を反映する重要な要素は、格納場所が決定されているアクセス時間、獲得時間、並びに精度である。
【０００７】
一例として、ある公知のシステムは、輸送車両のための決定された所定のルート（例えばレール上の）と、それに配設された位置センサとを使用する。
【０００８】
上述した公知のアプローチには、所定のルートだけが使用されるという欠点が見い出されており、且つ、備え付けと改造は、システムへの複雑な変化の必要性をはらむ。
【０００９】
公知のＧＰＳシステム（全地球測位システム）等のように、非接触で位置検出を行なうシステムは、より好都合であるだろう。しかしながら、格納領域内において起こり、且つ分類される必要がある位置は、センチメートルかそれ以下の範囲（例えば、ヨーロッパ標準のパレットのための４０ｃｍの領域内）にある。しかしながら、分析能力が約１ｍであるにすぎない公知のデファレンシャル（differential）ＧＰＳシステムでは、そのような高度な位置分析を達成することができない。その上、ＧＰＳシステムは、シールド効果のある閉空間内においては使用することはできない。
【００１０】
そこで、本発明の１つの目的は、より正確でより信頼できる位置検出を可能とし、領域、或いは格納領域に僅かな変更だけを必要とする所定領域（特に、格納設備）内における車両の位置検出方法及び装置の提供である。更なる目的は、格納管理方法及びシステムの提供である。
【００１１】
＜発明の利点＞
請求項６にクレームされた対応する装置と同様に、請求項１の特徴を有する本発明に係る方法は、公知の解決策へのアプローチに対して、高精度で信頼できる位置検出を可能とし、そして既存の領域、或いは格納領域に僅かな変化しか必要としない、という利点を有する。その結果、初期の設備への付加的な改造は、何ら問題無く実行可能である。
【００１２】
本発明が基本とする思想は、所定のポイントにおけるそれぞれの車両の個々の参照位置は、その車両が対応するポイントを通過するときはいつでも自動的に決定するということである。所定のポイントにおける当該車両のそれぞれの参照位置の自動的な決定は、車両に設けられ且つ所定領域内の対応するポイントにおいて、それぞれの参照マークと非接触な方法で相互に作用するところの、第２のセンサ装置によって実行される。個々の参照マークは、前記車両が少なくとも２つの信号によって同時にスキャンする反射及び非反射領域を有し、参照位置の座標と、任意には、スルームーブメント角度とは、これらの信号の反射強度の時間プロファイルを評価することによって測定される。
【００１３】
従属する請求項は、本発明のそれぞれの課題事項の有利な発展及び改善に関係する。
【００１４】
１つの好適な発展によれば、上記の信号キャリヤは、光ビーム、望ましくはレーザビーム、または磁気誘導力線である。
【００１５】
更に、好適な実施例によれば、前記個々の参照マークは、長方形の対角線に沿って、２つの反射領域と、１つの非反射領域とを有するところの、長方形の片（strip）を有し、その下方において前記車両（F1-F4）が動く。この参照マークは、前記信号の反射強度の時間プロファイルを評価することによって、参照位置の座標と２つの動きの角度とを測定するための分析的な解答を有利にする。
【００１６】
更に、好適な発展によれば、前記車両の動きに関係して増加するところの、動きベクトルの大きさと角度とは、その車両に設けられた第１のセンサ装置によって検出される。これは、望ましくは、角度測定のためのジャイロ（gyrator）と、長さ測定のためのエンコーダとを備える。
【００１７】
更に、好適な発展によれば、前記車両の個々の参照位置の自動決定は、前記検出された現在位置と実際の位置との間の統計的な食い違いが所定の限界値を超えないように実行される。
【００１８】
本発明の例示的な実施例は、以下の記述、並びに図面の例証によってより詳細に説明されるであろう。
【００１９】
＜例示的な実施例の説明＞
図において同一参照符号は、同一の構成要素、又は機能上同一の構成要素であることを示す。
【００２０】
図１は、本発明で使用された装置の一実施例が用いられている格納施設の概略図である。
【００２１】
図１において、符号100は、格納施設における所定領域を示す。符号B1-B2は、格納領域を示す。符号Tは、分離壁を示す。符号E1及びE2は、配送入力を示し、符号A1及びA2は、配信出力を示す。符号S1-S4は、格納ルートを示す。符号F1-F4は、フォークリフトトラックの形状をした車両を示す。そして、符号O1-O4は、測定片における参照ポイントを示す。
【００２２】
フォークリフトトラックF1-F4は、図示しないが無線ネットワークと両立するグラフィックス端末を備えている。これらは、例えば、シリアルインタフェースを介して、同様に図示しない位置送信機と通信する。これは、格納施設における各フォークリフトトラックF1-F4の正確な位置を決定するために送信されたセンサデータを使用し、フォークリフトトラック端末にこれを送信する。この位置データに加えて、端末は、フォークリフトトラックドライバーに対して用意された積載ジョブを示す。プレゼンスメッセージに従って、全フォークリフトトラックドライバーはまた、適切なマスクや、ゼロ格納、積荷変更及び積載操作エラーがある商品を記録するようなマニュアル入力をするためのメニューを使用することができる。
【００２３】
各フォークリフトトラックF1-F4は、トラックのフォーク上にプレッシャアンドストレインゲージセンサシステム（DMSセンサシステム）を有する。それは、関連するフォークリフトトラックF1-F4が、現在、何か商品を輸送しているか否かを決定することができ、また積荷におけるそれぞれのアイテム数を決定するための手段である。
【００２４】
全フォークリフトトラックは、固定された中央コンピュータに対して独立的（オンラインモード）に、または、タイムオフセット（オフラインモード）で互いに作用し合う。オンラインモードが通常の状態である。もしも、全フォークリフトトラック端末がオフラインで操作されている場合、一旦オンラインモードに戻るときに、オフラインモードで実行された商品の移動は、オンラインモードに戻す前に同期させなければならない。これは、固定された中央コンピュータのデータベースにおける在庫をアップデートするためである。
【００２５】
このような格納管理システムにおける典型的な機能の例を次に示す：
製造又は供給者から配送された商品の格納；
格納された商品の移動；
格納された特定の商品の発見；
格納された商品の再配置；
格納された全商品の在庫品の製造。
【００２６】
図２は、図１で示される発明に従った装置の実施例に対応する測定片と車両の概要図である。
【００２７】
図２では、符号MSは、図１で示される格納施設の天井におけるポイントO1-O4に取り付けられる測定片を示す。符号Dは、非反射の対角線領域を示す。符号R1及びR2は、反射領域を示す。符号L1及びL2は、それぞれ第１及び第２のレーザ装置を示す。符号ST1及びST2は、それぞれ第１及び第２のレーザビームを示す。符号10は、第１のセンサ装置を示す。符号20は、マイクロコンピュータを示し、そして、符号30は、送信／受信ユニットを示す。
【００２８】
以下のテキストでは、フォークリフトトラックF1の例を使用して、本発明の本実施例での格納施設100においてフォークリフトトラックF1-F4の位置がどのように連続的に決定されるのかについてより詳細に説明する。
【００２９】
フォークリフトトラックF1における第１のセンサ装置10は、ジャイロベースの回転センサシステムと、エンコーダベースの並進センサシステムを含んでいる。
【００３０】
この例では、ジャイロは０．１°の解像度を有し、測定原理がフーコーの振り子の原理に対応し、それは、コリオリの力を利用することを意味する圧電ジャイロである。特に、このコリオリの力は、線形に振動しているボディーに対して直角に作用する。その力は角速度に比例し、そして、要求される角度は、適切な積分によって獲得することができる。
【００３１】
この例では、エンコーダはセンチメートル範囲の解像度、典型的には約５００ｍに対して３０〜４０ｃｍである。そして、エンコーダは、例えば、ホイールハブをスキャンする誘導送信機である。もしも、適切に選択されるならば、エンコーダは前後両方への移動を検出することができ、異なる外周のホイールのために便宜的に調整が実行される。
【００３２】
正確な位置がこのように達成され、スリップがなければ、ホイールの直径は一定であり、１００ｍの直線移動において、１７．４ｃｍの角度オフセットで、１解像度当たり４８パルスである。
【００３３】
このように、このセンサ装置10は、車両のF1の移動に関して増加する動きベクトルの大きさと角度とを連続して検出することができる。したがって、原則的に、参照ポイントがいったん決定されると、フォークリフトトラックF1の現在の位置はベクトルとして表すことができる。そのベクトルは、センサ装置10によって検出される増加する動きベクトルの合計である。しかしながら、このことは、それぞれ検出された増加する動きベクトルが有限な検出誤差の影響を受けやすいので、増加する動きベクトルの数が増加するのに従って、参照ポイントに関する現在の位置の精度が減少するという問題をもたらす。
【００３４】
このように、本発明の実施例では、車両F1の参照位置は、車両F1が対応ポイントO1-O4を通過するときはいつでも、格納施設100内の所定ポイントO1-O4に（再度）自動的に固定される。ポイントO1-O4は、それぞれの車両がそれらを通過する確率が高いように選択される。
【００３５】
このように、所定領域100における車両F1の現在位置は、現在の参照位置の位置ベクトルに関して検出された増加する動きベクトルのベクトルの追加によって検出される。そして、これは自動的に、連続してリフレッシュされる。これは、センチメートルの範囲で典型的に高精度の位置データが常に獲得されるように、位置発見精度の減少という問題を避けることを可能にする。
【００３６】
図３から見ることができるように、各参照マーク、又は参照片MSは、典型的に１０ｃｍ幅と５００ｃｍの長さの長方形の片（strip）であり、長方形対角線に沿って、２つの反射領域R1、R2及び非反射領域Dを有する。
【００３７】
測定片MSは、車両F1がそれらの下を通過するように、ポイントO1-O4に取り付けられる。そして、同時に、その片は、２つのレーザビームST1及びST2によってスキャンされる。それらのビームは、互いに距離dだけ離隔する。この場合、参照位置の座標は、それぞれの測定片MSから反射するレーザビームST1、ST2の強度の時間プロファイルを評価することによって決定される。
【００３８】
図３は、車両の各参照位置の自動決定を説明するための測定片の概要図である。そして、図４は、２つの異なるスルームーブメント角度に対する時間の関数として、測定片から反射されるレーザ信号の概要図である。
【００３９】
図３及び図４において、符号AL1、 AL2、AL1'及びAL2'は、測定片ST上のレーザビームST1及びST2のスキャニングパスを示す。 符号αは角度を示す。符号tは時間を示す。符号Δtは、時間差を示す。符号SL1、SL2、SL1'及びSL2'は、レーザビームST1、ST2に対する反射強度の信号プロファイルを示す。符号M1、M2、M1'及びM2'は、ST1及びST2の反射強度の信号プロファイルにおける最小値を示す。そして、符号t0は参照時間を示す。
【００４０】
フォークリフトトラックF1が縦方向に対して直角に測定片MSの下を移動すると仮定すると（α＝０°）、レーザビームST1及びST2のスキャニングパスは、符号AL1及びAL2で示されるパスである。レーザビームST1及びST2に対する反射強度の対応する信号プロファイルは、図４における符号SL1及びSL2である。明らかに、この場合は、位相シフトがなく、またSL1及びSL2間の時間差Δtはない。
【００４１】
フォークリフトトラックF1が縦方向に対して直角に測定片MSの下を移動しないと仮定すると（言うまでもなくαは０°ではない）、レーザビームST1及びST2のスキャニングパスは、パスAL1'及びAL2'になるであろう。レーザビームST1及びST2に対する反射強度に対応する信号プロファイルは、図４における符号SL1'及びSL2'で示される。明らかに、この場合は、位相シフト、又はSL1' とSL2' 間の時間差△tがある。
【００４２】
図５は、x、y及びαを決定する過程を説明するための測定片の概略図である。参照ポイントのx座標は、次式に従って、片の幾何配置a、b、dと同様に、信号プロファイルSL1及びSL2における測定時間t1、t2、t3、t4、td1及びtd2から決定される：
【００４３】
【数１】
2003527571.tif 000001
y-座標は次式から得られる：
【００４４】
【数２】
2003527571.tif 000002
角度αは次式から得られる：
【００４５】
【数３】
2003527571.tif 000003
典型的な格納管理操作は、以下のテキストで簡単な例に関して説明される。
【００４６】
まず、フォークリフトトラックF1-F4は、それらの送信／受信ユニット30を通して、中央のコンピュータを用いて登録される。そして、ドライバーは、最初の測定片まで運転するか、又は、最初の参照位置として直接端末にドライバーの現在位置を入力するように要求される。そして、中央のコンピュータは、最初の中央装置10から伝達された測定データ、及びそれぞれのフォークリフトトラックF1-F4で計算された現在位置の伝達に基づいて現在位置を計算し続ける。
【００４７】
さて、配送入力E1にアイテムを集め、配信出力A2で格納領域B7における自由な格納位置にそれを格納することを含むジョブが起こると仮定しよう。
【００４８】
フォークリフトトラックF1が配送入力E1の最も近くにあるので、それは中央のコンピュータによってこのジョブをするために選択される。その結果、フォークリフトトラックF1は、配送入力E1に移動し、対応する歪みゲージセンサによって検出され、そのフォークで、アイテムをピックアップする。同時に、アイテムがピックアップされるという事実によって、送信／受信ユニットを通して中央のコンピュータに信号が送られ、そこで登録される。そのとき、フォークリフトトラックF1は、絶えず検出される最初の参照ポイントに関する位置と共に、送信出力A1の方向に格納ルートS1に沿って移動する。それがポイントO1を通過するとき、レーザビームS1及びS2は、そこに位置する測定片MSと互いに影響し合う。そして、上述した方法に従って、新しい参照ポイントが中央のコンピュータによって定義される。この後、その位置は、新しい参照ポイントに関連して検出される。
【００４９】
格納ルートS2との交点において、フォークリフトトラックF1は左に曲がり、そして、ポイントO4に達するために右に曲がり、格納ルートS4に移動する。ポイントO4を通過すると、レーザビームS1及びS2は、そこに位置する測定片MSと互いに影響し合う。そして、上述した方法に従って、新しい参照点が再度中央のコンピュータによって定義される。このときから、その位置は、新しい参照ポイントに関連して検出される。
【００５０】
最終的に、フォークリフトトラックF1は、配信出力A2のちょうど正面にある格納ポイントに達する。そこで、そのアイテムは、意図されたポイントで格納され、このことが中央のコンピュータに合図される。後者は正確な格納ポイント座標を含む格納操作を記憶する。
【００５１】
したがって、原則として、どんな格納操作も記憶され、正確に記録される。
【００５２】
本発明は、１つの好適な実施例に基づいて上述したように説明されたが、これに限定されず、多くの方法で変更することができる。
【００５３】
上述した例によると、位置の計算は伝送されたセンサデータに基づいて中央のコンピュータで実行されたが、この計算は車両のマイクロコンピュータでも実行することができる。
【００５４】
また、本発明は、格納車両に制限されるものでなく、あらゆる要求がされて、制限された分野に対しても一般化することができる。
【００５５】
その上、参照ポイントの決定は、説明されたレーザシステムによる手段だけなく、例えば、誘導送信機や光バリア等の少なくとも２つの信号で参照マークをスキャンするどのような要求の非接触位置センサも使用することによって実行される。その上、２つ以上の信号もまた、この場合においてスキャンする目的で使用することができる。
【００５６】
さらに、参照マークは、説明されたように、長方形の片に制限されない。その片は、車両が動く長方形対角線に沿って、２つの反射領域と１つの非反射領域を有する。事実、多くのこのような片が、互いの横側に沿って位置するかもしれない。それは、長方形対角線に沿ってそれぞれ2つの反射領域と１つの非反射領域を有する多くのセグメントで構成される総合的な片を形成するためである。この場合、非反射領域の直線グレーディングが長方形対角線に沿って落ち、解像度の精度が減少するので、参照マークが特定の幅を超えるとき、このことは特に有利である。
【００５７】
長方形対角線に沿って２つの反射領域と１つの非反射領域を有する長方形の片の形状における参照マークの上記例では、分析された解決は、信号の反射強度の時間プロファイルを評価することによって、参照位置の座標とスルームーブメント角度を有利に決定することができる。
【００５８】
しかしながら、もちろん他の片の幾何配置もまた、例えば、信号の反射強度の時間プロファイルを評価することによって、参照位置の座標とスルームーブメント角度を決定することができる数的解決だけを用いて、あるいは相当に、より複雑な分析解決を用いても実行可能である。
【００５９】
ISOCOM Automationssysteme, 81379 Munich
所定領域、特に格納施設、内における車両位置の検出方法及び装置、並びに格納管理方法及びシステム
＜参照シンボルのリスト＞
100    所定領域、格納施設
B1-B8    格納領域
T    分離壁
E1、E2    配送入力
A1、A2    配信出力
S1-S4    格納ルート
O1-O4    測定片の参照ポイント
MS    測定片
D    非反射対角線領域
R1、R2    反射領域
L1、L2    第１、第２のレーザ装置
ST1、ST2    第１、第２のレーザビーム
10    第１のセンサ装置
20    マイクロコンピュータ
30    送信／受信ユニット
λ    角度
AL1、AL2、AL1'、AL2'    ST1とST2のスキャニング
t    時間
Δt    時差
SL1、SL2、SL1'、SL2'    ST1及びST2に対する反射強度の信号プロファイル
M1、M2、M1'、M2'    ST1及びST2に対する反射強度の信号プロファイルの最小値
t0    参照時間
【図面の簡単な説明】
【図１】
本発明に係る装置の一実施形態に利用可能な格納施設の概要を示す図である。
【図２】
図１に示される本発明に係る装置の本実施形態に応じた測定片及び車両を示す図である。
【図３】
車両の個々の参照位置の自動決定について説明すべく測定片を示す図である。
【図４】
２つの異なったスルームーブメント角度（through-movement angles）のための時間の機能としての、測定片から反映されるレーザ信号を示す図である。
【図５】
ｘ、ｙ、並びにαを決定する過程について説明するための測定片を示す図である。